(57)【特許請求の範囲】
【請求項１】
釣り竿に装着可能であり釣り糸を前方に繰り出し可能な片軸受リールであって、
糸巻用のスプールと、
前記スプールを回転自在に支持するスプール軸と、
前記スプール軸を支持するフレームと、前記釣り竿に装着可能であり前記フレームに固定される竿装着部と、を有するリール本体と、
を備え、
前記フレームは、円形のフレーム本体と、前記フレーム本体の外側面から前記スプール軸の軸芯に対して偏芯した位置を中心として前記スプール軸の軸芯を含むように円形に突出するように設けられた固定凸部と、を有し、
前記竿装着部は、前記固定凸部の外周面に嵌合する内周面と、前記固定凸部の外周面の周方向の複数の固定位置のいずれかで前記フレームに固定可能な固定部と、を有する、
片軸受リール。
【請求項２】
前記竿装着部は、
前記固定部から前記フレームの外方に延びた後に湾曲して前記スプールの径方向外方に配置されるアーム部と、
前記アーム部の先端に前後方向に配置され前記釣り竿に装着可能な装着脚部と、
をさらに有する、
請求項１に記載の片軸受リール。
【請求項３】
前記固定部は、前記内周面を有するリング形状であり、固定用の少なくとも１本のボルト部材が通過可能であり周方向に間隔を隔てて配置された複数の固定孔を有し、
前記フレームは、前記固定凸部の径方向外方に前記固定孔に対向可能に周方向に間隔を隔てて配置され前記ボルト部材が螺合する複数の雌ねじ部を有する、請求項２に記載の片軸受リール。
【請求項４】
前記フレーム本体と前記固定凸部とは別体で構成され、
前記フレーム本体は、
前記偏芯した位置を中心とし前記固定凸部が装着される装着孔と、
前記装着孔の周囲に前記固定孔に対向して配置される複数の通過孔と、有し、
前記固定凸部は、
前記フレーム本体の内側面に配置され、前記装着孔より大径の装着部と、
前記装着部から前記装着孔を貫通して前記フレーム本体の外側面から円形に突出する突出部と、を有し、
前記複数の雌ねじ部は、前記装着部に前記通過孔と対向して配置される、請求項３に記載の片軸受リール。
【請求項５】
前記フレーム本体と前記固定凸部とは一体形成され、
前記固定部は、前記内周面を有するリング形状であり、固定用の少なくとも１本のボルト部材が通過可能であり周方向に間隔を隔てて配置された複数の固定孔を有し、
前記フレームは、前記固定凸部の外周面に前記固定孔に対向可能に周方向に間隔を隔て配置され前記ボルト部材が螺合する複数の雌ねじ部を有する、請求項２に記載の片軸受リール。
【請求項６】
前記複数の雌ねじ部の数は、前記複数の固定孔の数より多い、請求項３から５のいずれか１項に記載の片軸受リール。
【請求項７】
前記アーム部の前後方向の長さは、５ｍｍ以上２０ｍｍ以下である、請求項２から６のいずれか１項に記載の片軸受リール。
【請求項８】
前記スプールは、
前記スプール軸に回転自在に支持される糸巻胴部と、
前記糸巻胴部の前記フレームに近接する一端に設けられ前記糸巻胴部より大径の第１フランジ部と、
前記糸巻胴部の他端に設けられ前記糸巻胴部より大径の第２フランジ部と、を有し、
前記フレームの外径は、前記第１フランジ部の外径より小さい、請求項１から７のいずれか１項に記載の片軸受リール。
【請求項９】
前記第１フランジ部は、フレームに向けて突出して形成された第１環状突起を外周部に有し、
前記フレームは、前記第１環状突起の内周側に隙間をあけて配置され、前記第１環状突起と前記スプール軸の軸方向に重なり合うように突出して形成された少なくとも１つの第２環状突起を外周部に有する、請求項８に記載の片軸受リール。
【請求項１０】
前記第１環状突起は、前記第２環状突起を挟んで前記第１フランジ部の径方向に間隔を隔てて２つ設けられている、請求項９に記載の片軸受リール。
【請求項１１】
前記フレームは、前記第２環状突起に形成された円周面をさらに有する、請求項９又は１０に記載の片軸受リール。
【請求項１２】
前記外側面は前記スプール軸に実質的に直交する平坦面であり、
前記フレームは、前記円周面から前記外側面に向かって徐々に縮径する糸案内面をさらに有する、請求項１１に記載の片軸受リール。
【発明の詳細な説明】
【技術分野】
【０００１】
本発明は、釣り用リール、特に、釣り竿に装着可能な片軸受リールに関する。
【背景技術】
【０００２】
スプール軸がリール本体に片持ち支持される片軸受リールは、リール本体と、リール本体に片持ち支持されたスプール軸と、スプール軸に回転自在に装着されたスプールと、を備えている。リール本体は、円板形状であり、対向する外周部に軸方向に延びる周面部が設けられている。また、リール本体の外側面には、釣り竿装着用の竿装着部（脚体）が固定されている。竿装着脚は、リール本体の外側面に固定される固定部と、スプールの径方向外方に装着される脚部と、を有している。
【０００３】
このような片軸受リールでは、釣り人は釣り竿を握った手の指の先端でスプールを触ってスプールを制動する操作を行っている。指によるブレーキ操作を行う場合、釣り人の指の長さや使う指によって竿装着部とスプールの指によるブレーキ操作部位（例えば、スプールのフランジ部）との距離を変更できると便利である。そこで、リール本体を、スプールを片持ち支持するフレームと、フレームを回動可能又は直線移動可能に連結した竿装着部と、で構成された片軸受リールが従来知られている（例えば、特許文献１参照）。
【０００４】
従来の片軸受リールは、スプールの径方向外方でフレームを回動可能に竿装着部に連結している。また、別の実施形態では、フレームを直線移動可能に竿装着部に連結されている。従来の構成では、いずれの実施形態とも１本の軸部材（調整軸）をボルト部材（調整ねじ）によって締め付けることでフレームと竿装着部とを固定している。従来の片軸受リールでは、竿装着部をフレームに対して回動又は直線移動させることにより、釣り竿とスプールの指によるブレーキ操作部位との距離を変更している。
【先行技術文献】
【特許文献】
【０００５】
【特許文献１】実開平４−３０８６５号公報
【発明の概要】
【発明が解決しようとする課題】
【０００６】
前記従来の構成では、１本の軸部材を用いてフレームを竿装着部に対して回動又は直線移動させている。これによって、釣り竿とスプールの指によるブレーキ操作部位との距離が変動する。しかし、１本の軸部材を用いてフレームを竿装着部に固定すると、仕掛けに獲物が掛かってリールに強い負荷が作用した場合、応力が軸部材に集中して軸部材が破断するおそれがある。
【０００７】
本発明の課題は、片軸受リールにおいて、竿装着部とフレームとの固定部分を破断しにくくし、かつ釣り竿と指によるブレーキ操作部位との距離を調整できるようにすることにある。
【課題を解決するための手段】
【０００８】
発明１に係る片軸受リールは、釣り竿に装着可能であり釣り糸を前方に繰り出し可能なリールであって、糸巻用のスプールと、スプール軸と、リール本体と、を備えている。スプール軸は、スプールを回転自在に支持する。リール本体は、スプール軸を支持するフレームと、釣り竿に装着可能であり、スプール軸との距離を変更可能にフレームに固定される竿装着部と、を有する。フレームは、円形のフレーム本体とフレーム本体の外側面からスプール軸に対して偏芯した位置を中心として、スプール軸の軸芯を含んで円形に突出するように設けられた固定凸部と、を有し、竿装着部は、固定凸部の外周面に嵌合する内周面を有する。
【０００９】
この片軸受リールでは、釣り竿が装着可能な竿装着部が、フレーム本体の外側面から軸芯に対して偏芯した位置を中心として、スプール軸の軸芯を含んで円形に突出する固定凸部の外周面に内周面が嵌合してフレームに固定されている。このため、竿装着部の周方向の固定位置を変更することにより、竿装着部とスプール軸に装着されたスプールとの距離を変更することができる。ここで、固定凸部はスプール軸の軸芯を含んで円形に突出しているので、釣り糸に起因して荷重が作用するスプール軸と固定凸部の固定部分との距離に大きな差が生じない。このため、スプール軸に荷重が作用しても、固定凸部のスプール軸から遠い側の外周面の固定部分に極端に大きなモーメントが作用することがなくなり、固定部分が破断しにくくなる。ここでは、スプール軸の軸芯を含んで偏芯した固定凸部により竿装着部とフレームとを連結し、かつ竿装着部の周方向の固定位置を変更することにより、釣り竿と指によるブレーキ操作部位との距離を変化させている。このため、偏芯した固定凸部に竿装着部を固定すると、竿装着部とフレームとの固定部分が破断しにくくなるとともに、釣り竿と指によるブレーキ操作部位との距離を調整できるようになる。
【００１０】
発明２に係る片軸受リールは、発明１に記載のリールにおいて、竿装着部は、固定部と、アーム部と、装着脚部と、を有している。固定部は、内周面を有し、固定凸部の外周面の周方向の複数の固定位置のいずれかでフレームに固定可能である。アーム部は、固定部からフレームの外方に延びた後に湾曲してスプールの径方向外方に配置される。竿装着部は、アーム部の先端に前後方向に配置され釣り竿に装着可能である。この場合には、スプール軸に対して偏芯した固定凸部の周方向の複数の箇所でリング形状の固定部を位置決めすることにより、スプール軸と竿装着部との距離を容易に変更できる。
【００１１】
発明３に係る片軸受リールは、発明２に記載のリールにおいて、固定部は、内周面を有するリング形状であり、固定用の少なくとも１本のボルト部材が通過可能であり周方向に間隔を隔てて配置された複数の固定孔を有する。フレームは、固定凸部の径方向外方に固定孔に対向可能に周方向に間隔を隔てて配置されボルト部材が螺合する複数の雌ねじ部を有する。この場合には、固定孔を通してボルト部材を雌ねじ部にねじ込むことにより竿装着部をフレームにスプール軸との距離が異なる複数の固定位置で確実に固定できる。また、複数のボルト部材で固定した場合、荷重によるボルト部材の緩みが生じにくくなるとともに、全部のボルト部材が緩んでも固定位置が変化しにくくなる。
【００１２】
発明４に係る片軸受リールは、発明３に記載のリールにおいて、フレーム本体と固定凸部とは別体で構成される。フレーム本体は、偏芯した位置を中心とし固定凸部が装着される装着孔と、装着孔の周囲に固定孔に対向して配置される複数の通過孔と、有する。固定凸部は、フレーム本体の内側面に配置される。固定凸部は、装着孔より大径の装着部と、装着部から装着孔を貫通してフレーム本体の外側面から円形に突出する突出部と、を有する。複数の雌ねじ部は、装着部に通過孔と対向して配置される。この場合には、フレーム本体と固定凸部とが別体であるので、固定凸部を形成しやすい。また、固定凸部の装着部に雌ねじ部が形成されるので、フレーム本体の形状を薄肉の単純な円形にでき、フレーム本体の形成が容易になる。さらにフレーム本体と竿装着部とを同じボルト部材で固定凸部に固定できる。
【００１３】
発明５に係る片軸受リールは、発明２に記載のリールにおいて、フレーム本体と固定凸部とは一体形成される。固定部は、内周面を有するリング形状であり、固定用の少なくとも１本のボルト部材が通過可能であり周方向に間隔を隔てて配置された複数の固定孔を有する。フレームは、固定凸部の外周面に固定孔に対向可能に周方向に間隔を隔て配置されボルト部材が螺合する複数の雌ねじ部を有する。この場合には、雌ねじ部を固定凸部の外周面に形成しているので、雌ねじ部が放射状に配置される。このため、厚みが薄いフレーム本体と固定凸部をインサート成形等により一体形成しても雌ねじ部を容易に形成できる。また、複数のボルト部材で固定した場合、荷重によるボルト部材の緩みが生じにくくなるとともに、全部のボルト部材が緩んでも固定位置が変化しにくくなる。
【００１４】
発明６に係る片軸受リールは、発明３から５のいずれかに記載のリールにおいて、複数の雌ねじ部の数は、複数の固定孔の数より多い。この場合には、雌ねじ部の数が固定孔の数より多いので、固定凸部の周方向に固定孔の数より多い箇所で固定できる。このため、スプール軸との距離をより細かく変更できる。
【００１５】
発明７に係る片軸受リールは、発明２から６のいずれかに記載のリールにおいて、アーム部の前後方向の長さは、５ｍｍ以上２０ｍｍ以下である。この場合には、アーム部の幅が狭いので、スピニングリールのように、アーム部を、例えば、人差し指と中指等の指で挟んで片軸受リールを保持することができる。
【００１６】
発明８に係る片軸受リールは、発明１から７のいずれかに記載のリールにおいて、スプールは、スプール軸に回転自在に支持される糸巻胴部と、糸巻胴部のフレームに近接する一端に設けられ糸巻胴部より大径の第１フランジ部と、糸巻胴部の他端に設けられ糸巻胴部より大径の第２フランジ部と、を有し、フレームの外径は、第１フランジ部の外径より小さい。この場合には、スプールの第１フランジ部の外径がフレームの外径より大きいので、第１フランジ部がフレームから径方向外方に突出する。このため、第１フランジ部及び第２フランジ部のいずれでも指によるブレーキ操作を行える。
【００１７】
発明９に係る片軸受リールは、発明８に記載のリールにおいて、第１フランジ部は、フレームに向けて突出して形成された第１環状突起を外周部に有し、フレームは、第１環状突起の内周側に隙間をあけて配置され、第１環状突起とスプール軸の軸方向に重なり合うように突出して形成された少なくとも１つの第２環状突起を外周部に有する。この場合には、スプールに巻き付けられる釣り糸が第１フランジ部から外側に落ちても、第１フランジ部の第１環状突起と軸方向に重なり合うフレームの第２環状突起に接触する。このため、第１フランジ部をフレームより大径にしても、釣り糸がフレームと第１フランジ部との隙間からスプール内部に侵入して糸噛みが発生するのを防止できる。
【００１８】
発明１０に係る片軸受リールは、発明９に記載のリールにおいて、第１環状突起は、第２環状突起を挟んで第１フランジ部の径方向に間隔を隔てて２つ設けられている。この場合には、スプールとフレームとで軸方向に重なり合う部分が増えるので、糸噛みをさらに防止できる。
【００１９】
発明１１に係る片軸受リールは、発明９又は１０に記載のリールにおいて、フレームは、第２環状突起に形成された円周面をさらに有する。この場合には、第２環状突起に円周面が形成されているので、第１環状突起から釣り糸が第２環状突起に落ちても、フレームの内側に釣り糸が入りにくくなる。
【００２０】
発明１２に係る片軸受リールは、発明１１に記載のリールにおいて、外側面はスプール軸に実質的に直交する平坦面であり、フレームは、円周面から外側面に向かって徐々に縮径する糸案内面をさらに有する。この場合には、第１環状突起から円周面に釣り糸が落ちても、釣り糸が外側面に案内されやすくなる。
【発明の効果】
【００２１】
本発明によれば、スプール軸の軸芯に対して偏芯した固定凸部により竿装着部とフレームとを連結し、かつ竿装着部の周方向の固定位置を変更することにより、釣り竿と指によるブレーキ操作部位との距離を変化させている。このため、偏芯した固定凸部に竿装着部を固定すると、竿装着部とフレームとの固定部分が破断しにくくなるとともに、釣り竿と指によるブレーキ操作部位との距離を調整できるようになる。
【図面の簡単な説明】
【００２２】
【図１】本発明の一実施形態による片軸受リールの正面図。
【図２】その背面図。
【図３】図２のIII−III断面図。
【図４】第１フランジ部とフレームの外周側の断面部分図。
【図５】竿装着部の複数の装着位置を示す図。
【図６】第２実施形態の図２に相当する図。
【図７】第２実施形態の図６のVII−VII断面図。
【図８】第３実施形態の図２に相当する図。
【発明を実施するための形態】
【００２３】
＜第１実施形態＞
【００２４】
図１、図２及び図３において、本発明の第１実施形態による片軸受リールは、リール本体１と、リール本体１に片持ち支持されたスプール軸２と、スプール軸２に対して回転自在に装着され外周に釣り糸が巻かれるスプール３と、を備えている。
＜リール本体の構成＞
【００２５】
リール本体１は、スプール軸２を支持する円形のフレーム１０と、フレーム１０に着脱可能に固定される釣り竿ＲＤ装着用の竿装着部１２と、を有している。フレーム１０は、スプール軸２が片持ち支持される支持孔１０ａを有している。フレーム１０は、例えばアルミニウム合金等の金属製の円板状のフレーム本体１３と、フレーム本体１３に設けられた、例えばアルミニウム合金等の金属製又は合成樹脂製の固定凸部１４と、を有している。
フレーム本体１３は、アルミニウム合金製の薄板をプレス加工により形成した縁付き円板形状の部材である。フレーム本体１３は、スプール３より小径の円形の部材である。フレーム本体１３は、スプール３の後述する第１環状突起３６ｃよりスプール軸２の軸方向外側（図３右側）に配置される外側面１０ｄを有している。フレーム本体１３の外周部は、図４に示すように、スプール３の第１フランジ部３６ａ側に向かって突出するように湾曲している。フレーム本体１３は、先端の外周面１０ｇに、第１フランジ部３６ａ側に突出して形成された第２環状突起１０ｅを有している。第２環状突起１０ｅが形成された外周面１０ｇは、第１環状突起３６ｃのスプール軸方向外側（図４右側）から内側（図４左側）に配置される円周面である。すなわち、第１実施形態では、円周面である外周面１０ｇの基端は、第１環状突起３６ｃの先端より軸方向外側に配置され、外周面１０ｇの先端は、第１環状突起３６ｃの先端より軸方向内側に配置されている。フレーム本体１３の外周面１０ｇの基端に連なって第１環状突起３６ｃの外側に配置される外側面１０ｄに向かって湾曲して徐々に縮径する面は、スプール３から落ちた釣り糸を外側面１０ｄに案内する糸案内面１０ｆを構成している。第１実施形態では、糸案内面１０ｆは、断面視円弧形状のフィレット形状の曲面１０ｈと断面視直線状のテーパ面１０ｉとで形成されている。曲面１０ｈは、縮径割合が徐々に大きくなっている。また、テーパ面１０ｉは、縮径割合が同じである。このテーパ面１０ｉが内周側の第１環状突起３６ｃの形成位置と実質的に同じ径方向位置で竿装着部１２のアーム部２２の内側面２２ａに接触している。なお、糸案内面１０ｆの縮径割合は、徐々に小さくなってもよいし、徐々に大きくなってもよいし、一定でもよい。また、それらを組み合わせてもよい。
このような構成の糸案内面１０ｆを形成することにより、糸案内面１０ｆに釣り竿ＲＤを持つ手の指を置くことができる。このため、糸案内面１０ｆ置いた指を第１フランジ部３６ａに滑らせるだけで指によるブレーキ操作を行え、第１フランジ部３６ａに滑らせた指を糸案内面１０ｆに戻すだけで、指によるブレーキ操作を解除できる。このため、指によるブレーキ操作及び解除操作を迅速かつ安定して行える。もし、フレーム本体１３の外側面１０ｄが第１環状突起３６ｃの軸方向内側にあり、第１フランジ部３６ａより突出した糸案内面１０ｆがない場合、指を置く場所がなくなる。このため、ブレーキを解除する際には、指を第１フランジ部から離して浮かせなければならならず、指によるブレーキ操作及び解除操作を迅速かつ安定して行いにくい。
【００２６】
図３に示すように、フレーム本体１３には、スプール軸芯Ｃ１から偏芯した軸芯Ｃ２を中心として、固定凸部１４が装着される装着孔１３ａが形成されている。また、フレーム本体１３の装着孔１３ａの径方向外方には、周方向に間隔を隔てて形成された複数（例えば８個）の通過孔１３ｂが形成されている。
【００２７】
固定凸部１４は、フレーム本体１３の内側面１３ｃに配置され、装着孔１３ａより大径の装着部１４ｂと、装着部１４ｂから装着孔１３ａを貫通してフレーム本体１３の外側面１０ｄから円形に突出する突出部１４ｃと、を有している。突出部１４ｃは、軸芯Ｃ１を含んでフレーム本体１３の外側面１０ｄから突出している。固定凸部１４には、フレーム１０の中心に位置する軸芯Ｃ１に沿って前述した支持孔１０ａが形成されたボス部１０ｂがスプール軸２の先端側に向かって突出して形成されている。固定凸部１４は、第１実施形態では、フレーム本体１３と別体で形成しているが、フレーム本体１３と一体で形成してもよい。
【００２８】
固定凸部１４の外周面１４ａ（突出部１４ｃの外周面）の外径は、スプール３の外径の３０パーセント以上７０パーセント以下が好ましい。第１実施形態では、外周面１４ａの外径は、フレーム本体１３の外径の概ね５０パーセントである。なお、外周面１４ａの外径が３０パーセント未満であると、荷重に対する軸径が十分でなく、破断するおそれがある。また、７０パーセントを超えると調整の幅が狭まってしまう。
【００２９】
突出部１４ｃは、軸芯Ｃ２を中心にスプール軸芯Ｃ１を含むように突出している。これにより、荷重に起因して固定部分に作用するモーメントを小さくすることができる。突出部１４ｃの先端には、軸芯Ｃ２を中心とする円形の開口１４ｄが形成されている。開口１４ｄは、固定ボルト２６をねじ込むためと軽量化のために形成されている。開口１４ｄは、図示しない銘版により塞がれている。
【００３０】
固定凸部１４の装着部１４ｂは、図２及び図３に示すように、突出部１４ｃの径方向外方に周方向に間隔を隔てて配置された複数の雌ねじ部１８を有している。雌ねじ部１８は、竿装着部１２をフレーム１０に固定するためのボルト部材１６がねじ込まれるねじ孔である。雌ねじ部１８は、軸方向に沿って形成されている。ボルト部材１６は、例えば、皿頭ボルトであり、第１実施形態では、４本のボルト部材１６で竿装着部１２を固定している。ボルト部材１６は、竿装着部１２をフレーム１０に固定するとともに、竿装着部１２と装着部１４ｂとに挟まれたフレーム本体１３を固定凸部１４に固定する。
【００３１】
竿装着部１２は、例えば、アルミニウム合金等の金属製又はガラス短繊維を含浸させたポリアミド樹脂等の合成樹脂製の部材である。竿装着部１２は、スプール軸２との距離が異なる複数の固定位置のいずれかでフレーム１０に固定可能な固定部２０と、アーム部２２と、装着脚部２４と、を有している。固定部２０は、固定凸部１４の外周面１４ａに嵌合する内周面２０ｂを有するリング形状である。固定部２０は、周方向に間隔を隔てて配置された複数の固定孔２０ａを有している。固定孔２０ａは、雌ねじ部１８に対向可能にスプール軸２の軸方向に沿って形成されている。
【００３２】
雌ねじ部１８の数は、固定孔２０ａの数より多いのが好ましい。これは、雌ねじ部を少なくして固定孔を多くすると、固定に使用しない固定孔が固定部の表面に露出するからである。第１実施形態では、雌ねじ部１８の数は８個であり、固定孔２０ａの数は４個である。このように、雌ねじ部１８を固定孔２０ａより多くすると、使用しない雌ねじ部１８は、固定部２０により覆われ外部に露出しない。第１実施形態では、図５に示すように、４本のボルト部材１６を用いて、周方向の８つの固定位置Ｆ１−Ｆ８のいずれか一つで竿装着部１２をフレーム１０に固定できる。
【００３３】
アーム部２２は、図２及び図３に示すように、固定部２０と一体形成されている。アーム部２２は、固定部２０からフレーム１０の径方向外方に延びた後に湾曲してスプール３の径方向外方に配置されている。アーム部２２の前後方向（図２左右方向）の長さＬは、５ｍｍ以上２０ｍｍ以下であり、好ましくは、５ｍｍ以上１５ｍｍ以下である。このようにアーム部２２の前後方向の長さ（幅）Ｌが短くなると、釣り竿ＲＤを持つ手の２本の指でアーム部２２を挟んで片軸受リールを保持することができる。アーム部２２は、固定部２０との連結部分から徐々に厚みが厚くなり、湾曲部分の手前側で最大の厚みとなる。
【００３４】
装着脚部２４は、アーム部２２と一体形成されている。装着脚部２４は、アーム部２２の先端に前後方向に配置され釣り竿ＲＤに装着可能である。したがって、装着脚部２４は、上面に釣り竿ＲＤに接触可能な断面視円弧状の装着面２４ａを有している。
【００３５】
このような構成のリール本体１では、スプール軸２の軸芯Ｃ１と偏芯した位置を中心Ｃ２として円形に突出する固定凸部１４の外周面に嵌合する竿装着部１２をフレーム１０に固定している。このため、図５に示すように、竿装着部１２の周方向の８つの固定位置Ｆ１−Ｆ８で、竿装着部１２の装着面２４ａとスプール軸２の軸芯Ｃ１との距離Ｄ１−Ｄ８が異なる。具体的には、固定位置Ｆ１から固定位置Ｆ５に向けて距離Ｄ１−Ｄ５が徐々に大きくなり、固定位置Ｆ５から固定位置Ｆ１に向けて距離Ｄ５−Ｄ１が徐々に小さくなる。このため、８つの固定位置Ｆ１−Ｆ８のいずれかひとつで竿装着部１２をフレーム１０に固定することにより、竿装着部１２スプール軸２との距離、すなわち、竿装着部１２の径方向位置を変更することができる。また同時に、８つの固定位置Ｆ１−Ｆ８で、スプール軸２の軸芯Ｃ１と、竿装着部１２の前後方向の中心位置Ｃ３との距離Ｓ１−Ｓ８が異なる。したがって、スプール軸に対する竿装着部１２の前後位置も変更できる。なお、距離Ｓ１と距離Ｓ５は、「０」のため、図５には図示していない。したがって、竿装着部１２を前後位置と径方向位置との組み合わせが異なる８つの固定位置Ｆ１−Ｆ８のいずれかに固定できる。
＜スプール軸の構成＞
【００３６】
スプール軸２は、図３に示すように、その基端の小径部２ａがフレーム１０の固定凸部１４に形成された支持孔１０ａに嵌合している。スプール軸２は、基端面にねじ込まれた固定ボルト２６によりフレーム１０の固定凸部１４に固定されている。スプール軸２の先端には、第１環状溝２ｂと、第１環状溝２ｂより大径で先端が先細りの頭部２ｃとが形成されている。第１環状溝２ｂに隣接してブッシュ２１が装着されるブッシュ装着部２ｄが形成されている。また、ブッシュ装着部２ｄの基端側は、ブッシュ装着部２ｄより大径に形成され、そこには、第２環状溝２ｅが形成されている。
＜スプールの構成＞
【００３７】
スプール３は、図３に示すように、ワンタッチ着脱機構６により、スプール軸２に対してワンタッチで着脱できる。スプール３は、スプール軸２に回転自在に支持される糸巻胴部３５と、第１フランジ部３６ａ及び第２フランジ部３６ｂと、を有しており、これらは一体形成されている。これらが別体で構成されていてもよい。
【００３８】
糸巻胴部３５は、外周面に釣り糸が巻付可能な筒状の糸巻部３５ａと、糸巻部３５ａの内周側でスプール軸２に回転自在に支持される支持筒部３７と、糸巻部３５ａと支持筒部３７とを連結する円板状の連結部３８と、を有している。支持筒部３７は、スプール軸２が貫通可能な貫通孔３７ａを有する筒状の部材であり、先端側はワンタッチ着脱機構６を構成する蓋部材３１で塞がれている。貫通孔３７ａとスプール軸２との間には、スプール３をスプール軸２に回転自在に支持するための第１軸受４０及び第２軸受４２が軸方向に間隔を隔てて装着されている。第２軸受４２は、第２環状溝２ｅに装着された抜け止め部材４３により位置決めされる。
【００３９】
連結部３８は、糸巻部３５ａと支持筒部３７とを連結する円板状のものである。連結部３８にはスプール３を回転させるためのハンドル把手４４と、ハンドル把手４４の１８０度周方向に間隔を隔てて配置されたバランスウェイト４６とが装着されている。
【００４０】
第１フランジ部３６ａは、糸巻胴部３５の一端部に糸巻胴部３５と一体で形成された円盤状のものである。第１フランジ部３６ａはリール本体１のフレーム１０と対向するように形成されている。第１フランジ部３６ａの外径は、フレーム１０の外径より大きい。
【００４１】
図４に示すように、第１フランジ部３６ａの外周側の外側面には、径方向に間隔を隔ててフレーム１０に向けて軸方向外方に突出する２つの第１環状突起３６ｃが形成されている。外周側の第１環状突起３６ｃは、第２環状突起１０ｅの径方向外方に配置され、スプール軸２の軸方向に重なり合うようにフレーム１０に向けて突出している。内周側の第１環状突起３６ｃは、第２環状突起１０ｅの内周側に配置され、第２環状突起１０ｅに軸方向に重なり合うように突出している。
【００４２】
図３に示すように、第２フランジ部３６ｂは、糸巻胴部３５の他端部にリール本体１の開放部を覆うように一体で形成されたものである。第１実施形態では、第２フランジ部３６ｂは、第１フランジ部３６ａと同径に形成されている。しかし、第２フランジ部３６ｂを第１フランジ部３６ａと異なる径にしてもよい。例えば、第２フランジ部３６ｂを第１フランジ部３６ａより小径にしてもよい。
＜ワンタッチ着脱機構の構成＞
【００４３】
ワンタッチ着脱機構６は、図３に示すように、スプール軸２の第１環状溝２ｂに係止される弾性線材製のバネ部材３０と、バネ部材３０を抜け止めするために支持筒部３７の先端にねじ込み固定された蓋部材３１と、蓋部材３１に軸方向移動自在に装着されたプッシュボタン３２と、バネ部材３０を蓋部材３１との間に配置するためのブッシュ２１とを有している。ブッシュ２１は、プッシュボタン３２の周方向位置を規制する。
【００４４】
バネ部材３０は、スプール３をスプール軸２に軸方向移動不能に装着するためのバネである。また、バネ部材３０は、プッシュボタン３２を前方（図３左方）へ付勢する機能も有している。バネ部材３０は、弾性線材を折り曲げて形成されたものであり、変形したときに前方への付勢力が生じるようになっている。
【００４５】
このような構成のワンタッチ着脱機構６では、プッシュボタン３２を押圧すると、バネ部材３０が第１環状溝２ｂから外れてスプール３をスプール軸２から外せるようになる。また、スプール３をスプール軸２に装着するとバネ部材３０が広がった後に第１環状溝２ｂに係止されてスプール軸２に抜け止めされた状態で装着される。
次に、竿装着部１２の固定方法について説明する。
【００４６】
例えば、女性等の指の短い人は、図５において、固定位置Ｆ１で竿装着部１２をフレーム１０に装着する。また、すると、釣り竿ＲＤを持つ手の人差し指又は中指がスプール３に近くなり、スプール３を指によるブレーキ操作を行いやすくなる。また、指の長い人は、例えば、固定位置Ｆ２−Ｆ８のいずれかを使用する。固定位置Ｆ２−Ｆ４では、スプール軸２の軸芯Ｃ１が竿装着部１２の中心Ｃ３より前方に移動する。また、固定位置Ｆ６−Ｆ８では、スプール軸２の軸芯Ｃ１が竿装着部１２の中心Ｃ３より後方に移動する。
【００４７】
一方、片軸受リールをスピニングリールのように竿装着部１２のアーム部２２を挟んで保持することもできる。この場合、固定位置Ｆ３−Ｆ７を使用するのが好ましい。すると装着脚部２４とフレーム１０との隙間が大きくなり、その間に指を通せるようになる。このため、例えば、人差し指と中指の間にアーム部２２を挟んで曲げて、釣り竿ＲＤとともに装着脚部２４を握ることができる。このような場合でも、指の長短により固定位置を変更することにより、指によるブレーキ操作を行いやすくなる。
＜第２実施形態＞
第１実施形態では、固定凸部１４の径方向外方に複数（例えば、８個）の雌ねじ部１８を配置したが、雌ねじ部の位置は第１実施形態に限定されない。
【００４８】
なお、第２実施形態では、第１実施形態と形状が異なるが同一の機能の部位については、第１実施形態の符号に１００を加えた符号を付して図示している。また、第１実施形態と同様な構成の部位については説明を省略する。
【００４９】
第２実施形態に係る片軸受リールは、図６及び図７に示すように、リール本体１０１のフレーム１１０の竿装着部１１２の固定形状が第１実施形態と異なる。また、第２実施形態では、フレーム本体１１３と固定凸部１１４とが一体形成されている。第２実施形態では、固定凸部１１４の外周面１１４ａに複数の雌ねじ部１１８を径方向に沿って放射状に配置している。したがって固定凸部１１４の軸方向の寸法が大きい。また、複数の固定孔１２０ａが、固定部１２０の径方向に沿って形成されている。第２実施形態では、固定部１２０は軸方向の寸法が第１実施形態より僅かに大きいが、径方向の寸法は第１実施形態のものより小さい。第２実施形態では、一例として、固定孔１２０ａの数は３個であり、雌ねじ部１１８の数は１２個である。したがって、第２実施形態では、３本のボルト部材１１６で竿装着部１１２をフレーム１１０に固定している。また、固定位置の数は、第２実施形態では１２個になる。
【００５０】
この場合、雌ねじ部１１８を固定凸部１１４の外周面１１４ａに形成し、固定孔１２０ａを固定部１２０に径方向に沿って配置しているので、固定凸部１１４及び固定部１２０の軸方向の寸法が大きくなる。しかし、それらの径方向の寸法を小さくすることにより、全体の質量の増加を抑えることができる。
＜第３実施形態＞
第１実施形態及び第２実施形態では、ボルト部材により竿装着部をフレームに固定しているが、本発明は、これに限定されない。
【００５１】
なお、第３実施形態では、第１実施形態と形状が異なるが同一の機能の部位については、第１実施形態の符号に２００を加えた符号を付して図示している。また、第１実施形態と同様な構成の部位については説明を省略する。
【００５２】
第３実施形態の片軸受リールは、図８に示すように、フレーム２１０において、フレーム本体２１３と固定凸部２１４は、例えばインサート成形により一体形成されている。フレーム本体は、例えばアルミニウム合金等の金属製であり、固定凸部２１４は、例えばガラス短繊維が含浸されたポリアミド樹脂等の合成樹脂製である。リール本体２０１のフレーム２１０の固定凸部２１４の軸方向の先端外周部に雄ねじ部２１８を形成し、固定部２２０をナット２１６により固定している。この場合、固定部２２０の周方向の位置決めを行うために位置決め部２５０が設けられている。
【００５３】
図８のＡ部に拡大して示すように、位置決め部２５０は、例えば、位置決めピン２５２と、位置決め凹部２５４とを有している。位置決めピン２５２は、バネ部材２５６により位置決め凹部２５４側に付勢されている。位置決めピン２５２は、固定凸部２１４に、外周面２１４ａに開口するように径方向に沿って形成された装着凹部２１４ｂに径方向に移動自在に装着されている。位置決めピン２５２は、半球形状の頭部２５２ａと、頭部２５２ａより小径の軸部２５２ｂとを有している。この軸部２５２ｂの外周側に、例えばコイルバネの形態のバネ部材２５６が圧縮状態で配置されている。位置決め凹部２５４は、固定部２２０の内周面２２０ｂの一部に周方向に間隔を隔てて複数配置されている。位置決め凹部２５４は、例えば、欠けた球状又は半円形に凹んで形成されている。
【００５４】
なお、第３実施形態では、固定凸部２１４の外径が第１実施形態より小さく、軸方向の寸法は大きい。また、固定部２２０の外径は第２実施形態と同程度である。
【００５５】
このような構成の片軸受リールでは、位置決め部２５０で位置決めされるすべての位置で竿装着部２１２を固定できる。すなわち、位置決め凹部２５４の数だけ固定位置が得られる。また、ナット２１６を外すことなく緩めるだけで、固定位置を変更できる。
＜特徴＞
【００５６】
（Ａ）片軸受リールは、釣り竿に装着であり前方に釣り糸を繰り出し可能なリールである。片軸受リールは、糸巻用のスプール３と、スプール軸２と、リール本体１（１０１，２０１）と、を備えている。スプール軸２は、スプール３を回転自在に支持する。リール本体１（１０１，２０１）は、スプール軸２を支持するフレーム１０（１１０，２１０）と、釣り竿ＲＤに装着可能であり、スプール軸２との距離を変更可能にフレーム１０（１１０，２１０）に固定される竿装着部１２（１１２，２１２）と、を有する。フレーム１０（１１０，２１０）は、円形のフレーム本体１３（１１３，２１３）と、フレーム本体１３（１１３，２１３）の外側面からスプール軸２の軸芯Ｃ１に対して偏芯した位置（軸芯Ｃ２）を中心として、スプール軸２の軸芯Ｃ１を含んで円形に突出するように設けられた固定凸部１４（１１４，２１４）と、を有し、竿装着部１２（１１２，２１２）は、固定凸部１４（１１４，２１４）の外周面１４ａ（１１４ａ，２１４ａ）に嵌合する内周面２０ｂ（１２０ｂ，２２０ｂ）を有する。
【００５７】
この片軸受リールでは、釣り竿ＲＤが装着可能な竿装着部１２（１１２，２１２）が、スプール軸２に対して偏芯した位置から円形に突出する固定凸部１４（１１４，２１４）の外周面１４ａ（１１４ａ，２１４ａ）に内周面２０ｂ（１２０ｂ，２２０ｂ）が嵌合してフレーム１０（１１０，２１０）に固定されている。このため、竿装着部１２（１１２，２１２）の周方向の固定位置を変更することにより、竿装着部１２（１１２，２１２）とスプール軸２に装着されたスプール３との距離を変更することができる。ここで、固定凸部１４（１１４，２１４）はスプール軸２の軸芯を含んで円形に突出しているので、釣り糸に起因して荷重が作用するスプール軸と固定凸部１４（１１４，２１４）の固定部分との距離に大きな差が生じない。このため、スプール軸２に荷重が作用しても、固定凸部１４（１１４，２１４）のスプール軸２から遠い側の外周面１４ａ（１１４ａ，２１４ａ）の固定部分に極端に大きなモーメントが作用することがなくなり、固定部分（例えば、ボルト部材１６（１１６））が破断しにくくなる。ここでは、スプール軸２の軸芯Ｃ１を含んで偏芯した固定凸部１４（１１４，２１４）により竿装着部１２（１１２，２１２）とフレーム１０（１１０，２１０）とを連結し、かつ竿装着部１２（１１２，２１２）の周方向の固定位置を変更することにより、釣り竿ＲＤと指によるブレーキ操作部位との距離を変化させている。このため、偏芯した固定凸部１４（１１４，２１４）に竿装着部１２（１１２，２１２）を固定すると、竿装着部１２（１１２，２１２）とフレーム１０（１１０，２１０）との固定部分が破断しにくくなるとともに、釣り竿ＲＤと指によるブレーキ操作部位との距離を調整できるようになる。
【００５８】
（Ｂ）片軸受リールにおいて、竿装着部１２（１１２，２１２）は、固定部２０（１１０，２１０）と、アーム部２２（１２２，２２２）と、装着脚部２４（２２４）と、を有している。固定部２０（１２０，２２０）は、内周面２０ｂ（１２０ｂ，２２０ｂ）を有し、固定凸部１４（１１４，２１４）の外周面１４ａ（１１４ａ，２１４ａ）の周方向の複数の固定位置のいずれかでフレーム１０（１１０，２１０）に固定可能である。アーム部２２（１２２，２２２）は、固定部２０（１２０，２２０）からフレーム１０（１２０，２２０）の外方に延びた後に湾曲してスプール３の径方向外方に配置される。装着脚部２４（２２４）は、アーム部２２（１２２，２２２）の先端に前後方向に配置され釣り竿ＲＤに装着可能である。この場合には、スプール軸２に対して偏芯した固定凸部１４（１１４，２１４）の周方向の複数の箇所でリング形状の固定部２０（１２０，２２０）を位置決めすることにより、スプール軸２と竿装着部１２（１１２，２１２）との距離を容易に変更できる。
【００５９】
（Ｃ）片軸受リールにおいて、固定部２０は、内周面２０ｂを有するリング形状であり、固定用の少なくとも１本のボルト部材１６が通過可能であり周方向に間隔を隔てて配置された複数の固定孔２０ａを有する。フレーム１０は、固定凸部１４の径方向外方の外側面１０ｄに固定孔２０ａに対向可能に周方向に間隔を隔てて配置された複数の雌ねじ部１８と、を有する。この場合には、固定孔２０ａを通してボルト部材１６を雌ねじ部１８にねじ込むことにより竿装着部１２をフレーム１０にスプール軸２との距離が異なる複数の固定位置で確実に固定できる。また、複数のボルト部材１６で固定した場合、荷重によるボルト部材１６の緩みが生じにくくなるとともに、全部のボルト部材１６が緩んでも固定位置が変化しにくくなる。
【００６０】
（Ｄ）片軸受リールにおいて、フレーム本体１３と固定凸部１４とは別体で構成される。フレーム本体１３は、偏芯した軸芯Ｃ２を中心とし固定凸部１４が装着される装着孔１３ａと、装着孔１３ａの周囲に固定孔に対向して配置される複数の通過孔１３ｂと、有する。固定凸部１４は、フレーム本体１３の内側面１３ｃに配置される。固定凸部１４は、装着孔１３ａより大径の装着部１４ｂと、装着部１４ｂから装着孔１３ａを貫通してフレーム本体１３の外側面１０ｄから円形に突出する突出部１４ｃと、を有する。複数の雌ねじ部１８は、装着部１４ｂに通過孔１３ｂと対向して配置される。この場合には、フレーム本体１３と固定凸部１４とが別体であるので、固定凸部１４を形成しやすい。また、固定凸部１４の装着部１４ｂに雌ねじ部１８が形成されるので、フレーム本体１３の形状を薄肉の単純な円形にでき、フレーム本体１３の形成が容易になる。さらにフレーム本体１３と竿装着部１２とを同じボルト部材１６で固定凸部１４に固定できる。
【００６１】
（Ｅ）片軸受リールにおいて、フレーム本体１１３と固定凸部１１４とは一体形成される。固定部１２０は、内周面を有するリング形状であり、固定用の少なくとも１本のボルト部材１１６が通過可能であり周方向に間隔を隔てて配置された複数の固定孔１２０ａを有する。フレーム１１０は、固定凸部１１４の外周面に固定孔１２０ａに対向可能に周方向に間隔を隔て配置されボルト部材１１６が螺合する複数の雌ねじ部１１８を有する。この場合には、雌ねじ部１１８を固定凸部１１４の外周面に形成しているので、雌ねじ部１１８が放射状に配置される。このため、厚みが薄いフレーム本体１１３と固定凸部１１４を一体形成しても雌ねじ部１１８を容易に形成できる。また、複数のボルト部材１１６で固定した場合、荷重によるボルト部材１１６の緩みが生じにくくなるとともに、全部のボルト部材１１６が緩んでも固定位置が変化しにくくなる。
【００６２】
（Ｆ）複数の雌ねじ部１８（１１８）の数は、複数の固定孔２０ａ（１２０ａ）の数より多い。この場合には、雌ねじ部１８（１１８）の数が固定孔２０ａ（１２０ａ）の数より多いので、固定凸部１４（１１４）の周方向に固定孔２０ａ（１２０ａ）の数より多い箇所で固定できる。このため、スプール軸２との距離をより細かく変更できる。
【００６３】
（Ｇ）片軸受リールにおいて、アーム部２２（１２２，２２２）の前後方向の長さは、５ｍｍ以上２０ｍｍ以下である。この場合には、アーム部２２（１２２，２２２）の幅が狭いので、スピニングリールのように、アーム部２２（１２２，２２２）を、例えば、人差し指と中指等の指で挟んで片軸受リールを保持することができる。
【００６４】
（Ｈ）片軸受リールにおいて、スプール３は、スプール軸２に回転自在に支持される糸巻胴部３５と、糸巻胴部３５のフレーム１０（１１０，２１０）に近接する一端に設けられ糸巻胴部３５より大径の第１フランジ部３６ａと、糸巻胴部３５の他端に設けられ糸巻胴部３５より大径の第２フランジ部３６ｂと、を有する。フレーム１０（１１０，２１０）の外径は、第１フランジ部３６ａの外径より小さい。この場合には、スプール３の第１フランジ部３６ａの外径がフレーム１０（１１０，２１０）の外径より大きいので、第１フランジ部３６ａがフレーム１０（１１０，２１０）から径方向外方に突出する。このため、第１フランジ部３６ａ及び第２フランジ部３６ｂのいずれでも指によるブレーキ操作を行える。
【００６５】
（Ｉ）片軸受リールにおいて、第１フランジ部３６ａは、フレーム１０（１１０，２１０）に向けて突出して形成された第１環状突起３６ｃを外周部に有し、フレーム１０（１１０，２１０）は、第１環状突起３６ｃの内周側に隙間をあけて配置され、第１環状突起３６ｃとスプール軸２の軸方向に重なり合うように突出して形成された少なくとも１つの第２環状突起１０ｅを外周部に有する。この場合には、スプール３に巻き付けられる釣り糸が第１フランジ部３６ａから外側に落ちても、第１フランジ部３６ａの第１環状突起３６ｃと軸方向に重なり合うフレーム１０（１１０，２１０）の第２環状突起１０ｅに接触する。このため、第１フランジ部３６ａをフレーム１０（１１０，２１０）より大径にしても、釣り糸がフレーム１０（１１０，２１０）と第１フランジ部３６ａとの隙間からスプール３内部に侵入して糸噛みが発生するのを防止できる。
【００６６】
（Ｊ）片軸受リールにおいて、第１環状突起３６ｃは、第２環状突起１０ｅを挟んで第１フランジ部３６ａの径方向に間隔を隔てて２つ設けられている。この場合には、スプール３とフレーム１０（１１０，２１０）とで軸方向に重なり合う部分が増えるので、糸噛みをさらに防止できる。
【００６７】
（Ｋ）片軸受リールにおいて、フレーム１０（１１０，２１０）は、第２環状突起１０ｅに形成された円周面１０ｇをさらに有する。この場合には、第２環状突起１０ｅに円周面１０ｇが形成されているので、第１環状突起３６ｃから釣り糸が第２環状突起１０ｅに落ちても、フレーム１０（１１０，２１０）の内側に釣り糸が入りにくくなる。
【００６８】
（Ｌ）片軸受リールにおいて、外側面１０ｄ（１１０ｄ，２１０ｄ）はスプール軸２に実質的に直交する平坦面であり、フレーム１０（１１０，２１０）は、円周面１０ｇから外側面１０ｄに向かって徐々に縮径する糸案内面１０ｆをさらに有する。この場合には、第１環状突起３６ｃから円周面１０ｇに釣り糸が落ちても、釣り糸が外側面１０ｄに案内されやすくなる。
＜他の実施形態＞
以上、本発明の一実施形態について説明したが、本発明は上記実施形態に限定されるものではなく、発明の要旨を逸脱しない範囲で種々の変更が可能である。
【００６９】
（ａ）前記３つの実施形態では、ドラグ機構を有さない片軸受リールであったが、本発明はこれに限定されず、ドラグ機構を有する片軸受リールにも適用できる。また、第１フランジ部がフレームより大径であったが、フレームより小径の片軸受リールにも適用できる。さらに、ハンドルの回転を変速してスプールに伝達する片軸受リール等のすべての片軸受リールに本発明を適用できる。
【００７０】
（ｂ）前記３つの実施形態では、固定位置を周方向に等間隔で設けたが、固定位置を周方向に不等間隔で設けてもよい。この場合、雌ねじ部の固定孔の整数倍にしなくてもよい。
【００７１】
（ｃ）第１実施形態では、２個の第１環状突起３６ｃと、１個の第２環状突起１０ｅとを例示したが、本発明はこれに限定されない。第１環状突起及び第２環状突起は少なくとも一つあればいくつでもよい。しかし、製造のしやすさからすると、３個までが好ましい。
【符号の説明】
【００７２】
１    リール本体
２    スプール軸
３    スプール
６    ワンタッチ着脱機構
１０    フレーム
１０ｄ  外側面
１０ｅ  第２環状突起
１０ｆ  糸案内面
１２    竿装着部
１４    固定凸部
１４ａ  外周面
１６    ボルト部材
１８    雌ねじ部
２０    固定部
２０ａ  固定孔
２０ｂ  内周面
２２    アーム部
２４    装着脚部
３５    糸巻胴部
３６ａ  第１フランジ部
３６ｂ  第２フランジ部
３６ｃ  第１環状突起
３７    支持筒部
１０１    リール本体
１１０    フレーム
１１２    竿装着部
１１４    固定凸部
１１４ａ  外周面
１１６    ボルト部材
１１８    雌ねじ部
１２０    固定部
１２０ａ  固定孔
２０１    リール本体
２１０    フレーム
２１２    竿装着部
２１４    固定凸部
２１４ａ  外周面
２２０    固定部
２２０ｂ  内周面
【図１】
0005616087.tif 000002
【図２】
0005616087.tif 000003
【図３】
0005616087.tif 000004
【図４】
0005616087.tif 000005
【図５】
0005616087.tif 000006
【図６】
0005616087.tif 000007
【図７】
0005616087.tif 000008
【図８】
0005616087.tif 000009